(57)【要約】【課題】大型化を招くことなく減音性能を向上可能なサイレンサ、空調ダクト及び発電プラントを提供する。【解決手段】サイレンサは、流体が流入可能な入口、入口から第１方向に離れて位置して流体が流出可能な出口、及び、入口と出口との間に位置して流体が流動可能な内部空間を有するハウジングと、内部空間に配置された複数のスプリッタと、を備え、複数のスプリッタは、第１方向と交差する第２方向に沿って配列された複数の第１段スプリッタと、第２方向に沿って配列された複数の第２段スプリッタと、を含み、複数の第２段スプリッタは、第１方向にて、複数の第１段スプリッタよりも入口側又は出口側に位置し、且つ、複数の第２段スプリッタの各々は、第２方向にて、隣り合う第１段スプリッタの間に位置している。【選択図】  図1
2017218946.tif 000002
【特許請求の範囲】
【請求項１】
流体が流入可能な入口、前記入口から第１方向に離れて位置して前記流体が流出可能な出口、及び、前記入口と前記出口との間に位置して前記流体が流動可能な内部空間を有するハウジングと、
前記内部空間に配置された複数のスプリッタと、
を備え、
前記複数のスプリッタは、
前記第１方向と交差する第２方向に沿って配列された複数の第１段スプリッタと、
前記第２方向に沿って配列された複数の第２段スプリッタと、
を含み、
前記複数の第２段スプリッタは、前記第１方向にて、前記複数の第１段スプリッタよりも前記入口側又は前記出口側に位置し、且つ、
前記複数の第２段スプリッタの各々は、前記第２方向にて、隣り合う前記第１段スプリッタの間に位置している
ことを特徴とするサイレンサ。
【請求項２】
前記複数のスプリッタの各々は、前記入口側及び前記出口側にそれぞれ位置する端部を有し、
前記複数のスプリッタの各々において、前記端部の表面の少なくとも一部は曲面によって構成されている
ことを特徴とする請求項１に記載のサイレンサ。
【請求項３】
前記複数のスプリッタの各々は、前記第１方向及び前記第２方向を含む断面にて、長円形状の外形形状を有する
ことを特徴とする請求項２に記載のサイレンサ。
【請求項４】
前記複数のスプリッタの配列は、前記第１方向及び前記第２方向を含む断面にて千鳥配列となっている
ことを特徴とする請求項１乃至３の何れか１項に記載のサイレンサ。
【請求項５】
前記複数のスプリッタの配列は、前記第１方向及び前記第２方向と交差する第３方向と前記第２方向とを含む断面にて千鳥配列となっている
ことを特徴とする請求項１乃至４の何れか１項に記載のサイレンサ。
【請求項６】
前記複数のスプリッタの各々の外面上に配置された吸音部を更に備える
ことを特徴とする請求項１乃至５の何れか１項に記載のサイレンサ。
【請求項７】
前記複数のスプリッタの各々は中空であり、
前記複数のスプリッタの各々は、前記スプリッタの内側と外側とを連通させる複数の吸音孔を有する
ことを特徴とする請求項１乃至５の何れか１項に記載のサイレンサ。
【請求項８】
前記複数のスプリッタの各々の内部に配置された吸音部を更に備える
ことを特徴とする請求項７に記載のサイレンサ。
【請求項９】
請求項１乃至７の何れか１項に記載のサイレンサと、
前記サイレンサの入口に接続された上流側ダクトと、
前記サイレンサの出口に接続された下流側ダクトと、
を備えることを特徴とする空調ダクト。
【請求項１０】
請求項１乃至７の何れか１項に記載のサイレンサと、
前記サイレンサの入口に接続された上流側ダクトと、
前記サイレンサの出口に接続された下流側ダクトと、
を備えることを特徴とする発電プラント。
【発明の詳細な説明】
【技術分野】
【０００１】
本開示はサイレンサ、空調ダクト及び発電プラントに関する。
【背景技術】
【０００２】
吸気ダクト、排気ダクト及び空調ダクト等の流体の流路には、流路を伝播するノイズを低減するために、消音装置が設けられることがある。
例えば、特許文献１が開示する消音装置は、排気ダクト内に配置された複数の消音スプリッタ本体を有している。消音スプリッタ本体の表面には複数の吸音孔が設けられ、消音スプリッタ本体の内部には吸音部が配置されている。排気ダクト内を伝播するノイズは、複数の消音スプリッタ本体の間を通過する際に吸音孔によって吸音され、吸音部によって消音される。
【先行技術文献】
【特許文献】
【０００３】
【特許文献１】特開平９−１１２２４４号
【発明の概要】
【発明が解決しようとする課題】
【０００４】
特許文献１が開示する消音装置では、減音性能を更に向上させようとした場合、消音スプリッタ本体や、消音スプリッタ本体を収容する排気ダクトを更に大きくする必要がある。
【０００５】
上記事情に鑑みて、本発明の少なくとも一実施形態の目的は、大型化を招くことなく減音性能を向上可能なサイレンサ、空調ダクト及び発電プラントを提供することにある。
【課題を解決するための手段】
【０００６】
（１）本発明の少なくとも一実施形態に係るサイレンサは、
流体が流入可能な入口、前記入口から第１方向に離れて位置して前記流体が流出可能な出口、及び、前記入口と前記出口との間に位置して前記流体が流動可能な内部空間を有するハウジングと、
前記内部空間に配置された複数のスプリッタと、
を備え、
前記複数のスプリッタは、
前記第１方向と交差する第２方向に沿って配列された複数の第１段スプリッタと、
前記第２方向に沿って配列された複数の第２段スプリッタと、
を含み、
前記複数の第２段スプリッタは、前記第１方向にて、前記複数の第１段スプリッタよりも前記入口側又は前記出口側に位置し、且つ、
前記複数の第２段スプリッタの各々は、前記第２方向にて、隣り合う前記第１段スプリッタの間に位置している。
【０００７】
上記構成（１）では、複数の第２段スプリッタの各々が、第２方向にて、隣り合う第１段スプリッタの間に位置しているので、複数の第１段スプリッタの間を伝播してきた音波を、複数の第２段スプリッタによって後方に反射することができる。これにより、ハウジング内で、音波が反射を繰り返し、反射により音波を減衰させることができる。この結果として、上記構成（１）によれば、ハウジングの大型化を招くこと無く、減音性能の向上を図ることができる。
【０００８】
（２）幾つかの実施形態では、上記構成（１）において、
前記複数のスプリッタの各々は、前記入口側及び前記出口側にそれぞれ位置する端部を有し、
前記複数のスプリッタの各々において、前記端部の表面の少なくとも一部は曲面によって構成されている。
【０００９】
上記構成（２）では、複数のスプリッタの各々において、端部の表面の少なくとも一部が曲面によって構成されているので、内部空間における通気抵抗の上昇を抑制しながら、減音性能の向上を図ることができる。
【００１０】
（３）幾つかの実施形態では、上記構成（２）において、
前記複数のスプリッタの各々は、前記第１方向及び前記第２方向を含む断面にて、長円形状の外形形状を有する。
【００１１】
上記構成（３）では、複数のスプリッタの各々が、第１方向及び第２方向を含む断面にて長円形状の外形形状を有しており、両端部が曲面によって構成されている。このため、内部空間における通気抵抗の上昇を抑制しながら、減音性能の向上を図ることができる。
【００１２】
（４）幾つかの実施形態では、上記構成（１）乃至（３）の何れか１つにおいて、
前記複数のスプリッタの配列は、前記第１方向及び前記第２方向を含む断面にて千鳥配列となっている。
【００１３】
上記構成（４）では、複数のスプリッタの配列が、第１方向及び第２方向を含む断面にて千鳥配列となっているので、簡単な構成にて、内部空間における通気抵抗の上昇を抑制しながら、減音性能の向上を図ることができる。
【００１４】
（５）幾つかの実施形態では、上記構成（１）乃至（４）の何れか１つにおいて、
前記複数のスプリッタの配列は、前記第１方向及び前記第２方向と交差する第３方向と前記第２方向とを含む断面にて千鳥配列となっている。
【００１５】
上記構成（５）では、複数のスプリッタの配列が、第２方向及び第３方向を含む断面にて千鳥配列となっているので、音波を様々な方向に反射することができ、ハウジング内での音波の反射回数を増大させることができる。この結果として、通気抵抗の上昇を抑制しながら、減音性能の向上を図ることができる。
【００１６】
（６）幾つかの実施形態では、上記構成（１）乃至（５）の何れか１つにおいて、
前記複数のスプリッタの各々の外面上に配置された吸音部を更に備える。
【００１７】
上記構成（６）では、吸音部によって音波が吸収され、減音性能の向上をより一層図ることができる。
【００１８】
（７）幾つかの実施形態では、上記構成（１）乃至（５）の何れか１つにおいて、
前記複数のスプリッタの各々は中空であり、
前記複数のスプリッタの各々は、前記スプリッタの内側と外側とを連通させる複数の吸音孔を有する。
【００１９】
上記構成（７）では、吸音孔によって音波が吸収され、減音性能の向上をより一層図ることができる。
【００２０】
（８）幾つかの実施形態では、上記構成（７）において、
前記複数のスプリッタの各々の内部に配置された吸音部を更に備える。
【００２１】
上記構成（８）によれば、スプリッタの内部に配置された吸音部によって音波が吸収され、減音性能の向上をより一層図ることができる。
【００２２】
（９）本発明の少なくとも一実施形態に係る空調ダクトは、
上記構成（１）乃至（７）の何れか１つに記載のサイレンサと、
前記サイレンサの入口に接続された上流側ダクトと、
前記サイレンサの出口に接続された下流側ダクトと、
を備える。
【００２３】
上記構成（９）によれば、建造物の内部への外部からの騒音の伝播を抑制することができる。
【００２４】
（１０）本発明の少なくとも一実施形態に係る発電プラントは、
上記構成（１）乃至（７）の何れか１つに記載のサイレンサと、
前記サイレンサの入口に接続された上流側ダクトと、
前記サイレンサの出口に接続された下流側ダクトと、
を備える。
【００２５】
上記構成（１０）によれば、発電プラントの建造物の内部に、外部から騒音が伝播することが抑制される。
【発明の効果】
【００２６】
本発明の少なくとも一実施形態によれば、大型化を招くことなく減音性能を向上可能なサイレンサ、空調ダクト及び発電プラントが提供される。
【図面の簡単な説明】
【００２７】
【図１】本発明の一実施形態に係るサイレンサを概略的に示す斜投影図である。
【図２】本発明の実施形態に係るサイレンサの概略的な断面図であり、図３及び図１０〜図１３中のＩＩ−ＩＩ線に沿う断面図である。
【図３】図１のサイレンサの概略的な断面図であり、図２中のＩＩＩ−ＩＩＩ線に沿う断面図である。
【図４】図１のサイレンサに用いられたスプリッタを概略的に示す断面図である。
【図５】本発明の他の一実施形態に係るサイレンサを概略的に示す、図２に対応する断面図であり、円内は一部を拡大して示している。
【図６】本発明の他の一実施形態に係るサイレンサを概略的に示す、図２に対応する断面図であり、円内は一部を拡大して示している。
【図７】本発明の他の一実施形態に係るサイレンサを概略的に示す、図２に対応する断面図であり、円内は一部を拡大して示している。
【図８】本発明の他の一実施形態に係るサイレンサを概略的に示す、図２に対応する断面図である。
【図９】本発明の他の一実施形態に係るサイレンサを概略的に示す、図２に対応する断面図である。
【図１０】図２中のＸ−Ｘ線に沿う断面図である。
【図１１】図２中のＸＩ−ＸＩ線に沿う断面図である。
【図１２】図２中のＸＩＩ−ＸＩＩ線に沿う断面図である。
【図１３】図２中のＸＩＩＩ−ＸＩＩＩ線に沿う断面図である。
【図１４】（ａ）〜（ｇ）は、本発明の実施形態に係るサイレンサに適用可能なスプリッタの変形例を概略的に示す断面図である。
【発明を実施するための形態】
【００２８】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹突起や面取り部等を含む形状も表すものとする。
一方、一の構成要素を「備える」、「具える」、「具備する」、「含む」、又は、「有する」という表現は、他の構成要素の存在を除外する排他的な表現ではない。
【００２９】
図１は、本発明の一実施形態に係るサイレンサ１ａを概略的に示す斜投影図（キャビネット図）である。図２は、本発明の実施形態に係るサイレンサ１ａ，１ｇ，１ｈの概略的な断面図であり、図３及び図１０〜図１３中のＩＩ−ＩＩ線に沿う断面図である。図３は、図１のサイレンサ１ａの概略的な断面図であり、図２中のＩＩＩ−ＩＩＩ線に沿う断面図である。図４は、図１のサイレンサ１ａに用いられたスプリッタを概略的に示す断面図である。図５は、本発明の他の一実施形態に係るサイレンサ１ｂを概略的に示す、図２に対応する断面図であり、円内は一部を拡大して示している。図６は、本発明の他の一実施形態に係るサイレンサ１ｃを概略的に示す、図２に対応する断面図であり、円内は一部を拡大して示している。図７は、本発明の他の一実施形態に係るサイレンサ１ｄを概略的に示す、図２に対応する断面図であり、円内は一部を拡大して示している。図８は、本発明の他の一実施形態に係るサイレンサ１ｅを概略的に示す、図２に対応する断面図である。図９は、本発明の他の一実施形態に係るサイレンサ１ｆを概略的に示す、図２に対応する断面図である。図１０は、サイレンサ１ｇの概略的な断面図であり、図２中のＸ−Ｘ線に沿う断面図である。図１１は、サイレンサ１ｇの概略的な断面図であり、図２中のＸＩ−ＸＩ線に沿う断面図である。図１２は、サイレンサ１ｈの概略的な断面図であり、図２中のＸＩＩ−ＸＩＩ線に沿う断面図である。図１３は、サイレンサ１ｈの概略的な断面図であり、図２中のＸＩＩＩ−ＸＩＩＩ線に沿う断面図である。図１４（ａ）〜（ｇ）は、サイレンサ１ａ〜１ｈに適用可能なスプリッタの変形例を概略的に示す断面図である。
なお、以下の説明では、サイレンサ１ａ〜１ｈを一括してサイレンサ１とも称する。
【００３０】
図１〜図３及び図５〜図１３に示したように、サイレンサ１は、ハウジング３と、複数のスプリッタ５とを有する。
ハウジング３は、入口７、出口９及び内部空間１１を有する。入口７には流体が流入可能である。出口９は、一方向（第１方向）にて入口７から離れて位置し、出口９から流体が流出可能である。内部空間１１は、入口７と出口９との間に位置し、内部空間内を流体が流動可能である。ハウジング３は、例えば、金属によって構成される。
例えば、ハウジング３が箱形状を有し、入口７及び出口９が、相互に対向するハウジング３の１対の壁（端壁）１３，１５にそれぞれ形成されている場合、第１方向はハウジング３の一辺に沿っている。
【００３１】
複数のスプリッタ５は内部空間１１に配置されている。複数のスプリッタ５の各々は、第１方向にて長さを有し、第１方向と交差する第２方向にて長さ（厚さ）を有し、そして、第１方向及び第２方向と交差する第３方向にて長さ（幅）を有している。従って、複数のスプリッタ５の各々は、内部空間１１を、複数の流路へと分割している。複数のスプリッタ５の各々は、例えば、金属によって構成される。
なお通常、第１方向、第２方向及び第３方向は相互に直交している。この場合、第２方向が鉛直方向であれば、第１方向は水平方向であり、第３方向は、第１方向と直交する水平方向である。
【００３２】
そして、複数のスプリッタ５は、少なくとも、複数の第１段スプリッタ１７及び複数の第２段スプリッタ１９を含んでいる。
複数の第１段スプリッタ１７は、第１方向と交差する第２方向に沿って、相互に間隔を存して配列されている。
複数の第２段スプリッタ１９は、第２方向に沿って、相互に間隔を存して配列されている。そして、複数の第２段スプリッタ１９は、第１方向にて、複数の第１段スプリッタ１７よりも出口９側に位置し、且つ、複数の第２段スプリッタ１９の各々は、第２方向にて、隣り合う第１段スプリッタ１７，１７の間に位置している。換言すれば、第１方向にて、複数の第２段スプリッタ１９の位置は、複数の第１段スプリッタ１７の位置から一方の側にずれており、且つ、複数の第２段スプリッタ１９の各々は、第２方向にて、隣り合う第１段スプリッタ１７，１７の間に位置している。
【００３３】
上記構成では、第２方向にて、複数の第２段スプリッタ１９の各々が隣り合う第１段スプリッタ１７，１７の間に位置しているので、複数の第１段スプリッタ１７の間を伝播してきた音波を、複数の第２段スプリッタ１９によって後方に、すなわち第１段スプリッタ１７側に反射することができる。これにより、ハウジング３内で、音波が反射を繰り返し、反射により音波を減衰させることができる。この結果として、上記構成によれば、ハウジング３の大型化を招くこと無く、減音性能の向上を図ることができる。
【００３４】
なお、図１〜図３及び図５〜図１３に示したサイレンサ１では、出口９から内部空間１１へと音波が伝播してくることを想定して、第２段スプリッタ１９が第１段スプリッタ１７よりも入口７側に配置されている。従って、上記想定とは逆に、低減すべき音波が入口７から内部空間１１へと伝播してくることを想定する場合には、第２段スプリッタ１９は、第１段スプリッタ１７よりも出口９側に配置される。つまり、低減する音波の伝播方向によって、第２段スプリッタ１９は、第１段スプリッタ１７よりも下流に配置される。
【００３５】
幾つかの実施形態では、第２方向にて、複数の第２段スプリッタ１９の各々は、隣り合う第１段スプリッタ１７，１７の間の中心に位置している。つまり、複数の第１段スプリッタ１７及び複数の第２段スプリッタ１９の配列は、第１方向及び第２方向を含む断面にて、千鳥配列になっている。
【００３６】
幾つかの実施形態では、図１〜図３及び図５〜図１３に示したように、複数のスプリッタ５は、複数の第３段スプリッタ２０を更に含んでいる。複数の第３段スプリッタ２０は、第２方向に沿って、相互に間隔を存して配列されている。そして、複数の第３段スプリッタ２０は、第１方向にて、複数の第２段スプリッタ１９よりも、入口７側に位置し、且つ、複数の第３段スプリッタ２０の各々は、第２方向にて、隣り合う第２段スプリッタ１９，１９の間に位置している。換言すれば、第１方向にて、複数の第３段スプリッタ２０の位置は、複数の第２段スプリッタ１９の位置から一方の側にずれており、且つ、複数の第３段スプリッタ２０の各々は、第２方向にて、隣り合う第２段スプリッタ１９，１９の間に位置している。
【００３７】
上記構成では、第２方向にて、複数の第３段スプリッタ２０の各々が、隣り合う第２段スプリッタ１９，１９の間に位置しているので、複数の第２段スプリッタ１９の間を伝播してきた音波を、複数の第３段スプリッタ２０によって後方に、すなわち第２段スプリッタ１９側に反射することができる。この結果、ハウジング３内で、音波が反射を繰り返し、反射により音波を減衰させることができる。この結果として、上記構成によれば、減音性能の向上をより一層図ることができる。
【００３８】
なお、図１〜図３及び図５〜図１３に示したサイレンサ１では、出口９から内部空間１１へと音波が伝播してくることを想定して、第３段スプリッタ２０が第２段スプリッタ１９よりも入口７側に配置されているが、これとは逆を想定する場合、第３段スプリッタ２０が第２段スプリッタ１９よりも出口９側に配置される。つまり、低減する音波の伝播方向にて、第３段スプリッタ２０は、第１段スプリッタ１７及び第２段スプリッタ１９よりも下流に配置される。
【００３９】
幾つかの実施形態では、第２方向にて、複数の第１段スプリッタ１７の位置は、複数の第３段スプリッタ２０の位置と同じであり、複数の第２段スプリッタ１９の各々は、隣り合う第１段スプリッタ１７，１７の間及び隣り合う第３段スプリッタ２０，２０の間の中心に位置している。つまり、複数の第１段スプリッタ１７、複数の第２段スプリッタ１９及び複数の第３段スプリッタ２０の配列は、第１方向及び第２方向を含む断面にて、千鳥配列になっている。
【００４０】
幾つかの実施形態では、図１、図２及び図４〜図９に示したように、複数のスプリッタ５の各々は、入口７側及び出口９側にそれぞれ位置する端部２１，２２を有する。そして、複数のスプリッタ５の各々において、端部２１，２２の表面の少なくとも一部は曲面によって構成されている。
【００４１】
上記構成では、複数のスプリッタ５の各々において、端部２１，２２の表面の少なくとも一部が曲面によって構成されているので、内部空間１１における通気抵抗の上昇を抑制しながら、減音性能の向上を図ることができる。
【００４２】
幾つかの実施形態では、図１、図２及び図４〜図９に示したように、第１方向及び第２方向を含む断面にて、複数のスプリッタ５の各々は、第１方向に延びる長円形状の断面形状を有する。複数のスプリッタ５の各々は、第３方向に延在しており、複数のスプリッタ５の各々が長円形状の断面形状を有する場合、端部２１，２２の表面は、半円筒形状又は半楕円筒形状を有する。そしてこの場合、複数のスプリッタ５の各々は、端部２１，２２間を延びる２つの外側面２３，２４を有する。外側面２３，２４はそれぞれ平坦であり、相互に平行である。
【００４３】
上記構成では、複数のスプリッタ５の各々が長円形状の断面形状を有するので、内部空間１１における通気抵抗の上昇を抑制しながら、減音性能の向上を図ることができる。
【００４４】
幾つかの実施形態では、図４に示したように、第２方向での第２段スプリッタ１９の長さ（厚さ）をＴとし、第１方向での第２段スプリッタ１９の長さをＬとし、長さＬに対する厚さＴの比Ｔ／Ｌをアスペクト比としたとき、アスペクト比Ｔ／Ｌは、０．１以上１以下である。
上記構成によれば、アスペクト比Ｔ／Ｌが０．１以上であるので、第２段スプリッタ１９によって、確実に音波を反射することができる。一方、アスペクト比Ｔ／Ｌが１以下であるので、第２段スプリッタ１９によって、流体の流れが乱されることが抑制される。
【００４５】
幾つかの実施形態では、図４に示したように、第２方向での第２段スプリッタ１９の長さ（厚さ）をＴとし、図２に示したように、第２方向での隣り合う第１段スプリッタ１７，１７の隙間の長さをＧとしたとき、隙間の長さＧに対する厚さＴの比Ｔ／Ｇは、０．１以上１以下である。
上記構成によれば、比Ｔ／Ｇが０．１以上であるので、第２段スプリッタ１９によって、確実に音波を反射することができる。一方、比Ｔ／Ｇが１以下であるので、第２段スプリッタ１９によって、流体の流れが乱されることが抑制される。
【００４６】
幾つかの実施形態では、図１、図２及び図４〜図９に示したように、複数のスプリッタ５の各々は、第１方向及び第２方向を含む断面にて長円形状の断面形状を有し、長円形状の長手方向が第１方向に沿うように配置されている。
【００４７】
幾つかの実施形態では、図５に示したように、サイレンサ１ｂは、複数のスプリッタ５の各々の外面上に配置された吸音部２５を更に備える。吸音部２５は、例えば、ロックウールやグラスウール等の吸音材によって構成され、スプリッタ５の外面を層状に覆っている。
上記構成では、吸音部２５によって音波が吸収され、減音性能の向上をより一層図ることができる。
【００４８】
幾つかの実施形態では、図５に示したように、サイレンサ１ｂは、ハウジング３の内面上に配置された吸音部２７を更に備える。吸音部２７は、例えば、ロックウールやグラスウール等の吸音材によって構成され、ハウジング３の内面を層状に覆っている。
上記構成では、吸音部２７によって音波が吸収され、減音性能の向上をより一層図ることができる。
【００４９】
幾つかの実施形態では、図２〜図１３に示したように、複数のスプリッタ５の各々は中空である。そして、図６及び図７に示したように、複数のスプリッタ５の各々は複数の吸音孔２９を有する。複数の吸音孔２９は、スプリッタ５の壁を貫通し、スプリッタ５の内側と外側とを連通させる。例えば、吸音孔２９を有する中空のスプリッタ５は、パンチングメタルを板金加工によって筒状に成形することによって作製可能である。
【００５０】
上記構成では、吸音孔２９によって音波が吸収され、減音性能の向上をより一層図ることができる。
【００５１】
幾つかの実施形態では、図６及び図７に示したように、ハウジング３の内面を覆うようにライニング板３１が配置されている。ライニング板３１とハウジング３との間には空間が存在し、ライニング板３１は複数の吸音孔３３を有する。複数の吸音孔３３は、ライニング板３１を貫通し、ライニング板３１の内側と外側とを連通させる。
上記構成では、吸音孔３３によって音波が吸収され、減音性能の向上をより一層図ることができる。
【００５２】
幾つかの実施形態では、図７に示したように、サイレンサ１ｄは、複数のスプリッタ５の各々の内部に配置された吸音部３５を更に備える。
【００５３】
上記構成によれば、スプリッタ５の内部に配置された吸音部３５によって音波が吸収され、減音性能の向上をより一層図ることができる。吸音部３５は、例えば、ロックウールやグラスウール等の吸音材によって構成され、スプリッタ５の内部に充填されている。
上記構成では、吸音部３５によって音波が吸収され、減音性能の向上をより一層図ることができる。
【００５４】
幾つかの実施形態では、図７に示したように、サイレンサ１ｄは、ハウジング３の内面とライニング板３１との間の空間に配置された吸音部３７を更に備える。吸音部３７は、例えば、ロックウールやグラスウール等の吸音材によって構成され、ハウジング３の内面とライニング板３１との間の空間に充填されている。
【００５５】
上記構成によれば、ハウジング３の内面とライニング板３１との間の空間に配置された吸音部３７によって音波が吸収され、減音性能の向上をより一層図ることができる。
【００５６】
幾つかの実施形態では、図１、図２及び図５〜図９に示したように、サイレンサ１は、入口７に接続される上流側ダクト４０と、出口９に接続される下流側ダクト４２と、を更に備える。
流体は、上流側ダクト４０及び下流側ダクト４２の内部を流動可能であり、上流側ダクト４０を通じてハウジング３の内部空間１１に流体が流入し、下流側ダクト４２を通じて内部空間１１から流体が流出する。
【００５７】
幾つかの実施形態では、上流側ダクト４０の端部と下流側ダクト４２の端部は、第１方向に沿って同軸に配置される。すなわち、入口７及び出口９は同軸に配置される。
【００５８】
幾つかの実施形態では、図１、図２及び図５〜図９に示したように、第１方向と直交する方向での内部空間１１の断面積は、上流側ダクト４０及び下流側ダクト４２の断面積よりも大きい。
【００５９】
幾つかの実施形態では、図８及び図９に示したように、上流側ダクト４０の端部４１及び下流側ダクト４２の端部４３の断面積は、ハウジング３に近づくにつれて徐々に拡大している。すなわち、上流側ダクト４０の端部４１の断面積は、入口７に近づくにつれて徐々に拡大し、下流側ダクト４２の端部４３の断面積は、出口９に近づくにつれて徐々に拡大している。
上述した構成によれば、上流側ダクト４０の端部４１及び下流側ダクト４２の端部４３の断面積が、ハウジング３に近づくにつれて徐々に拡大しているので、通気抵抗の上昇を抑制することができる。また、上流側ダクト４０の端部４１及び下流側ダクト４２の端部４３の断面積が、ハウジング３に近づくにつれて徐々に拡大しているので、上流側ダクト４０の端部４１の内面が、第１方向又は上流側ダクト４０の軸線方向に対し傾斜し、下流側ダクト４２の端部４３の内面が、第１方向又は下流側ダクト４２の軸線方向に対して傾斜している。このため、上流側ダクト４０の端部４１及び下流側ダクト４２の端部４３の内面で、音波を様々な方向に反射することができ、ハウジング３内での音波の反射回数を増大させることができる。この結果として、通気抵抗の上昇を抑制しながら、減音性能の向上を図ることができる。
【００６０】
幾つかの実施形態では、図８に示したように、上流側ダクト４０の端部４１の内面は、テーパ形状を有し、第１方向又は上流側ダクト４０の軸線方向に対し一定角度で傾斜したテーパ面によって構成されている。また、下流側ダクト４２の端部４３の内面は、テーパ形状を有し、第１方向又は下流側ダクト４２の軸線方向に対し一定角度で傾斜したテーパ面によって構成されている。
【００６１】
幾つかの実施形態では、図９に示したように、上流側ダクト４０の端部４１の内面は、ラッパ形状を有し、第１方向又は上流側ダクト４０の軸線方向に対する傾きが、ハウジング３に近づくにつれて徐々に変化する曲面によって構成されている。また、下流側ダクト４２の端部４３の内面は、ラッパ形状又はフレア形状を有し、第１方向又は下流側ダクト４２の軸線方向に対する傾きが、ハウジング３に近づくにつれて徐々に変化する曲面によって構成されている。
【００６２】
幾つかの実施形態では、図１及び図３に示したように、ハウジング３は、第１方向と交差する第３方向にて相互に対向する１対の壁（側壁）４４，４６を有する。そして、図１及び図３に示したように、複数のスプリッタ５は、１対の側壁４４，４６間に渡って延在している。例えば、複数のスプリッタ５の両端は、側壁４４，４６に対し、溶接によって固定されている。
【００６３】
上記構成によれば、複数のスプリッタ５が１対の側壁４４，４６間に渡って延在しているので、複数のスプリッタ５を１対の側壁４４，４６によって支持可能である。このため、上記構成によれば、簡単な構成にて、減音性能の向上を図ることができる。
【００６４】
幾つかの実施形態では、図１０及び図１１に示したように、ハウジング３は、第１方向及び第２方向と交差する第３方向にて相互に対向する１対の壁（側壁）４４，４６を有する。そして、図１０に示したように、複数の第１段スプリッタ１７は、複数の第１列スプリッタ５０と、複数の第２列スプリッタ５２とを含む。複数の第１列スプリッタ５０は、一方の側壁４４側に位置し、第２方向に沿って配列されている。複数の第２列スプリッタ５２は、第１列スプリッタ５０よりも他方の側壁４６側に位置し、第２方向に沿って配列されている。第２方向にて、複数の第２列スプリッタ５２の各々は、隣り合う第１列スプリッタ５０，５０の間に位置している。換言すれば、第３方向にて、複数の第２列スプリッタ５２の位置は、複数の第１列スプリッタ５０の位置から一方の側にずれており、第２方向にて、複数の第２列スプリッタ５２の各々は、隣り合う第１列スプリッタ５０，５０の間に位置している。
【００６５】
また、図１１に示したように、複数の第２段スプリッタ１９は、複数の第１列スプリッタ５４と、複数の第２列スプリッタ５６とを含む。複数の第１列スプリッタ５４は、一方の側壁４４側に位置し、第２方向に沿って配列されている。複数の第２列スプリッタ５６は、第１列スプリッタ５４よりも他方の側壁４６側に位置し、第２方向に沿って配列されている。第２方向にて、複数の第２列スプリッタ５６の各々は、隣り合う第１列スプリッタ５４，５４の間に位置している。換言すれば、第３方向にて、複数の第２列スプリッタ５２の位置は、複数の第１列スプリッタ５０の位置から一方の側にずれており、第２方向にて、複数の第２列スプリッタ５２の各々は、隣り合う第１列スプリッタ５０，５０の間に位置している。
そして、複数の第２段スプリッタ１９に含まれる複数の第１列スプリッタ５４の各々は、複数の第１段スプリッタ１７に含まれる隣り合う第１列スプリッタ５０，５０の間に位置し、且つ、複数の第２段スプリッタ１９に含まれる複数の第２列スプリッタ５６の各々は、複数の第１段スプリッタ１７に含まれる隣り合う第２列スプリッタ５２，５２の間に位置している。
【００６６】
上述した構成では、第２方向にて、第１段スプリッタ１７に含まれる複数の第２列スプリッタ５２の各々が、隣り合う第１列スプリッタ５０，５０の間に位置し、第２段スプリッタ１９に含まれる複数の第２列スプリッタ５６の各々が、隣り合う第１列スプリッタ５４，５４の間に位置している。このため、上記した構成によれば、音波を様々な方向に反射することができ、ハウジング３内での音波の反射回数を増大させることができる。この結果として、減音性能の向上を図ることができる。
【００６７】
幾つかの実施形態では、第２方向にて、第１段スプリッタ１７に含まれる複数の第２列スプリッタ５２の各々は、隣り合う第１列スプリッタ５０，５０の間の中心に位置している。つまり、複数の第１列スプリッタ５０及び複数の第２列スプリッタ５２の配列は、第２方向及び第３方向を含む断面にて、千鳥配列となっている。また、第２方向にて、第２段スプリッタ１９に含まれる複数の第２列スプリッタ５６の各々は、隣り合う第１列スプリッタ５４，５４の間の中心に位置している。つまり、複数の第１列スプリッタ５４及び複数の第２列スプリッタ５６の配列は、第２方向及び第３方向を含む断面にて、千鳥配列となっている。
【００６８】
幾つかの実施形態では、図１２及び図１３に示したように、ハウジング３は、第１方向及び第２方向と交差する第３方向にて相互に対向する１対の壁（側壁）４４，４６を有する。そして、図１２に示したように、複数の第１段スプリッタ１７は、複数の第１列スプリッタ６０と、複数の第２列スプリッタ６２と、複数の第３列スプリッタ６４とを含む。
複数の第１列スプリッタ６０は、一方の側壁４４側に位置し、第２方向に沿って配列されている。複数の第２列スプリッタ６２は、第１列スプリッタ６０よりも他方の側壁４６側に位置し、第２方向に沿って配列されている。複数の第３列スプリッタ６４は、第２列スプリッタ６２よりも他方の側壁４６側に位置し、第２方向に沿って配列されている。第２方向にて、複数の第２列スプリッタ６２の各々は、隣り合う第１列スプリッタ６０，６０の間及び隣り合う第３列スプリッタ６４，６４の間に位置している。従って、第３方向にて、複数の第２列スプリッタ６２の位置は、複数の第１列スプリッタ６０の位置よりも一方の側にずれており、複数の第３列スプリッタ６４の位置は、複数の第２列スプリッタ６２の位置よりも更に一方の側にずれている。
【００６９】
また、図１３に示したように、複数の第２段スプリッタ１９は、複数の第１列スプリッタ６６と、複数の第２列スプリッタ６８と、複数の第３列スプリッタ７０とを含む。
複数の第１列スプリッタ６６は、一方の側壁４４側に位置し、第２方向に沿って配列されている。複数の第２列スプリッタ６８は、第１列スプリッタ６６よりも他方の側壁４６側に位置し、第２方向に沿って配列されている。複数の第３列スプリッタ７０は、第２列スプリッタ６８よりも他方の側壁４６側に位置し、第２方向に沿って配列されている。第２方向にて、複数の第２列スプリッタ６８の各々は、隣り合う第１列スプリッタ６６，６６の間及び隣り合う第３列スプリッタ７０，７０の間に位置している。従って、第３方向にて、複数の第２列スプリッタ６８の位置は、複数の第１列スプリッタ６６の位置よりも一方の側にずれており、複数の第３列スプリッタ７０の位置は、複数の第２列スプリッタ６８の位置よりも更に一方の側にずれている。
【００７０】
そして、複数の第２段スプリッタ１９に含まれる複数の第１列スプリッタ６６及び複数の第３列スプリッタ７０の各々は、第２方向にて、複数の第１段スプリッタ１７に含まれる隣り合う第１列スプリッタ６０，６０の間及び隣り合う第３列スプリッタ６４，６４の間に位置し、且つ、複数の第２段スプリッタ１９に含まれる複数の第２列スプリッタ６８の各々は、第２方向にて、複数の第１段スプリッタ１７に含まれる隣り合う第２列スプリッタ６２，６２の間に位置している。
【００７１】
上述した構成によれば、第２方向にて、第１段スプリッタ１７に含まれる複数の第２列スプリッタ６２の各々は、隣り合う第１列スプリッタ６０，６０の間及び隣り合う第３列スプリッタ６４，６４の間に位置し、第２段スプリッタ１９に含まれる複数の第２列スプリッタ６８の各々は、隣り合う複数の第１列スプリッタ６６，６６の間及び隣り合う第３列スプリッタ７０，７０の間に位置している。このため、上記した構成によれば、音波を様々な方向に反射することができ、ハウジング３内での音波の反射回数を増大させることができる。この結果として、減音性能の向上を図ることができる。
【００７２】
幾つかの実施形態では、第２方向にて、第１段スプリッタ１７に含まれる複数の第２列スプリッタ６２の各々は、隣り合う第１列スプリッタ６０，６０の間の中心に位置し、複数の第１列スプリッタ６０の位置は、複数の第３列スプリッタ６４の位置と同じである。つまり、複数の第１列スプリッタ６０、複数の第２列スプリッタ６２及び複数の第３列スプリッタ６４の配列は、第２方向及び第３方向を含む断面にて、千鳥配列となっている。また、第２方向にて、第２段スプリッタ１９に含まれる複数の第２列スプリッタ６８の各々は、隣り合う第１列スプリッタ６６，６６の間の中心に位置し、複数の第１列スプリッタ６６の位置は、複数の第３列スプリッタ７０の位置と同じである。つまり、複数の第１列スプリッタ６６、複数の第２列スプリッタ６８及び複数の第３列スプリッタ７０の配列は、第２方向及び第３方向を含む断面にて、千鳥配列となっている。
【００７３】
幾つかの実施形態では、複数のスプリッタ５の配列は、第１方向及び第２方向を含む断面、及び、第２方向及び第３方向を含む断面にて、千鳥配列となっている。
【００７４】
幾つかの実施形態では、図１２及び図１３に示したように、第１列スプリッタ６０，６６及び第３列スプリッタ６４，７０は、側壁４４，４６によって支持されている。例えば、第１列スプリッタ６０，６６及び第３列スプリッタ６４，７０の一端が、側壁４４，４６に対し、溶接によって固定されている。一方、ハウジング３は、第２方向にて相互に対向する１対の壁（側壁）７２，７４を有し、側壁７２，７４間に渡って支柱７６，７８が設けられている。例えば、支柱７６，７８は、複数の第２列スプリッタ６２，６８を貫通しており、複数の第２列スプリッタ６２，６８は、支柱７６，７８によって支持されている。例えば、支柱７６，７８は金属製であり、支柱７６，７８の両端は、側壁７２，７４に対し、溶接により固定され、複数の第２列スプリッタ６２，６８は、支柱７６，７８に対し、溶接により固定されている。
【００７５】
幾つかの実施形態では、図２及び図５〜図９に示したように、第１方向にて、複数の第１段スプリッタ１７の存在範囲は、複数の第２段スプリッタ１９の存在範囲から離れている。つまり、複数の第１段スプリッタ１７は、第１方向にて、複数の第２段スプリッタ１９から離れている。
【００７６】
幾つかの実施形態では、図２及び図５〜図９に示したように、第１方向にて、複数の第２段スプリッタ１９の存在範囲は、複数の第３段スプリッタ２０の存在範囲から離れている。つまり、複数の第２段スプリッタ１９は、第１方向にて、複数の第３段スプリッタ２０から離れている。
【００７７】
本発明は上述した実施形態に限定されることはなく、上述した実施形態に変更を加えた形態や、これらの形態を組み合わせた形態も含む。
例えば、上述した幾つかの実施形態では、スプリッタ５が、最大で、第１段スプリッタ１７、第２段スプリッタ１９及び第３段スプリッタ２０の３段のスプリッタを含んでいたが、４段以上のスプリッタを含んでいてもよい。
【００７８】
例えば、上述した幾つかの実施形態では、第１段スプリッタ１７、第２段スプリッタ１９及び第３段スプリッタ２０の各々が、最大で、第１列スプリッタ６０，６６、第２列スプリッタ６２，６８、及び第３列スプリッタ６４，７０の３列のスプリッタを含んでいたが、４列以上のスプリッタを含んでいてもよい。
例えば、上述した幾つかの実施形態では、ハウジング３は箱形状を有していたが、ハウジング３の形状はこれに限定されることはない。ハウジング３は、例えば、円筒形状をしていてもよい。ハウジング３が円筒形状を有している場合、第１方向はハウジング３の軸線方向に一致する。
【００７９】
例えば、上述した幾つかの実施形態では、複数の第１段スプリッタ１７は、第２方向にて等ピッチで配列されていたが、不等ピッチで配列されていてもよい。同様に、複数の第２段スプリッタ１９は、第２方向にて等ピッチで配列されていたが、不等ピッチで配列されていてもよい。また同様に、複数の第３段スプリッタ２０は、第２方向にて等ピッチで配列されていたが、不等ピッチで配列されていてもよい。
【００８０】
例えば、上述した幾つかの実施形態では、第２方向にて、複数の第１段スプリッタ１７のピッチと、複数の第２段スプリッタ１９のピッチとは相互に等しかったが、相互に異なっていてもよい。同様に、第２方向にて、複数の第１段スプリッタ１７のピッチと、複数の第３段スプリッタ２０のピッチとは相互に等しかったが、相互に異なっていてもよい。
【００８１】
例えば、上述した幾つかの実施形態では、スプリッタ５は、第１方向及び第２方向を含む断面にて、長円形状を有していたが、サイレンサ１に用いられるスプリッタの外形形状はこれに限定されることはない。例えば、図１４（ａ）〜（ｇ）に示したように、スプリッタは、種々の外形形状を有していてもよい。図１４（ａ）に示したスプリッタ８０は、第１方向及び第２方向を含む断面にて、長方形の一端部のみが丸められた形状を有している。図１４（ｂ）に示したスプリッタ８１は、第１方向及び第２方向を含む断面にて、楕円形状を有している。図１４（ｃ）に示したスプリッタ８２は、第１方向及び第２方向を含む断面にて、流線形状を有している。なお、流線形状とは、一端部が丸く、他端部が尖っている形状であり、通気抵抗が小さい形状である。図１４（ｄ）に示したスプリッタ８３は、第１方向及び第２方向を含む断面にて、長方形状を有している。図１４（ｅ）に示したスプリッタ８４は、第１方向及び第２方向を含む断面にて、菱形形状を有している。図１４（ｆ）に示したスプリッタ８５は、第１方向及び第２方向を含む断面にて、正方形形状を有している。図１４（ｇ）に示したスプリッタ８６は、第１方向及び第２方向を含む断面にて、円形状を有している。
例えば、上述した幾つかの実施形態では、複数のスプリッタ５は、同一の形状を有していたが、相互に異なる形状を有していてもよい。例えば、第１段スプリッタ１７と第２段スプリッタ１９は、相互に異なる形状を有していてもよい。
【００８２】
サイレンサ１は、吸気ダクト、排気ダクト及び空調ダクトのいずれにも適用可能であり、吸気ダクトや排気ダクトを流れる流体についても、特に限定されることはない。吸気ダクトは、例えば燃焼機器に燃焼用の空気等を流すためのものであり、排気ダクトは、例えば燃焼機器から排出された排気を流すためのものである。サイレンサ１を給気ダクトや排気ダクトに適用した場合、例えば燃焼器から排出される騒音を低減可能である。空調ダクトは、建造物の内部と外部とを連通させ、建造物の内部に空気を送り込むか、建造物の内部から空気を排出するためのものである。サイレンサ１を空調ダクトに適用した場合、建造物の内部への外部からの騒音の伝播を抑制することができる。
最後に、サイレンサ１が設置される場所は、特に限定されることはないが、サイレンサ１、又は、サイレンサ１を含む吸気ダクト、排気ダクト、若しくは、空調ダクトは、火力発電所、水力発電所及び原子力発電所等の発電プラントに設置される。この場合、サイレンサ１を吸気ダクト又は排気ダクトに用いることによって、発電プラントから放出される騒音を低減可能である。また、サイレンサ１を換気ダクトに用いることによって、発電プラントの建造物の内部に、外部から騒音が伝播することが抑制される。
【符号の説明】
【００８３】
１，１ａ〜１ｈ    サイレンサ
３            ハウジング
５            スプリッタ
７            入口
９            出口
１１          内部空間
１３，１５    壁（端壁）
１７          第１段スプリッタ
１９          第２段スプリッタ
２０          第３段スプリッタ
２１，２２    端部
２３，２４    外側面
２５          吸音部
２７          吸音部
２９          吸音孔
３１          ライニング板
３３          吸音孔
３５          吸音部
３７          吸音部
４０          上流側ダクト
４１          端部
４２          下流側ダクト
４３          端部
４４，４６    壁（側壁）
５０          第１列スプリッタ
５２          第２列スプリッタ
５４          第１列スプリッタ
５６          第２列スプリッタ
６０          第１列スプリッタ
６２          第２列スプリッタ
６４          第３列スプリッタ
６６          第１列スプリッタ
６８          第２列スプリッタ
７０          第３列スプリッタ
７２，７４    壁（側壁）７２
７６，７８    支柱
８０          スプリッタ
８１          スプリッタ
８２          スプリッタ
８３          スプリッタ
８４          スプリッタ
８５          スプリッタ
８６          スプリッタ
８７          スプリッタ
【図１】
2017218946.tif 000003
【図２】
2017218946.tif 000004
【図３】
2017218946.tif 000005
【図４】
2017218946.tif 000006
【図５】
2017218946.tif 000007
【図６】
2017218946.tif 000008
【図７】
2017218946.tif 000009
【図８】
2017218946.tif 000010
【図９】
2017218946.tif 000011
【図１０】
2017218946.tif 000012
【図１１】
2017218946.tif 000013
【図１２】
2017218946.tif 000014
【図１３】
2017218946.tif 000015
【図１４】
2017218946.tif 000016